(57)【要約】      （修正有）【課題】少ない種類の部品を共用して工事用シートや安全用の水平ネットを設置することができる設置装置を提供する。【解決手段】ロングレール部材１と、足場等の縦地単管に結合するクランプを幅方向の一側面に備えてロングレール部材１の接続部に着脱自在に接続・固定されるショートレール部材４と、ショートレール部材４と同形態のショートレール部材を平面視９０度の角度で結合一体化した直角レール部材と、各レール１，４の走行面に載せられて転動する双輪をボディ本体の両側面に備えると共にシートＳを支持するフック部材を設けた吊車とを有する工事用シート、ネットの設置装置であって、ロングレール部材１、ショートレール部材４、吊車によって足場やの所要部位にシートＳを開閉自在に設ける構成とした。【選択図】図１２
2016141989.tif 000002
【特許請求の範囲】
【請求項１】
（イ）下面が溝状に開口すると共に該開口を挟む部位を吊車の走行面とし、かつ、長さ方向両端部を接続部に形成したロングレール部材、
（ロ）前記ロングレール部材と同様の断面形状で当該レール部材の接続部に外嵌して接続できる内面形状を有するショートレール部材であって足場等の縦地単管に結合するクランプを該レール部材の幅方向の一側面に備えて前記ロングレール部材の接続部に着脱自在に接続・固定されるショートレール部材、
（ハ）前記ショートレール部材と同形態のショートレール部材を平面視９０度の角度で結合一体化した直角レール部材であって当該直角レール部材の幅方向の外面又は内面に、前記足場等の縦地単管に結合するクランプを設けた直角レール部材、
（ニ）上記の各レール部材の走行面に載せられて転動する双輪をボディ本体の両側面に備えると共に、該ボディ本体の垂直軸上に、前記足場等に設けるシートやネットのハトメに入って当該シートやネットを支持するためのフック部材を設けて形成した吊車、
（ホ）上記（ロ）又は（ハ）のレール部材を選択して上記（イ）〜（ニ）の部材によって足場等に設けるシートやネットを開閉自在に設けるようにした、
ことを特徴とする工事用シート、ネットの設置装置。
【請求項２】
ロングレール部材は、長さ方向の中間に撓みに対する補強部材を取付けた請求項１に記載の設置装置。
【請求項３】
ロングレール部材の接続部に外嵌したショートレール部材又は直角レール部材は、前記接続部に設けたロック用のピン穴に嵌入するプランジャタイプのロックピンを具備した請求項１又は２に記載した設置装置。
【請求項４】
ショートレール部材と直角レール部材に設けるクランプは、その取付けにおいて水平軸に関して上下方向で首振り自在の枢着構造にした請求項１〜３のいずれか１項に記載した設置装置。
【請求項５】
ショートレール部材及び直角レール部材とクランプの枢着位置は、側面から見て前記両方のレール部材とクランプとの対向面の上端部とした請求項４に記載した設置装置。
【請求項６】
吊車は、フック部材をボディ本体略中央の垂直軸上に設け、かつその軸上で旋回自在に設けた請求項１に記載した設置装置。
【発明の詳細な説明】
【技術分野】
【０００１】
本発明はビル等の建物の建設、補修、解体等の工事のために設置された単管等による足場やパネル等による仮囲いに対して設定された出入口に防音シートなどのシートを開閉自在に設けるシートゲート、高さが不足する仮囲いの上方の囲いを補足する開閉自在にした付加（又は補足、補充）上部シート、或は、前記足場と建物の間などに設置される水平な安全ネットなど、工事用足場や仮囲いに対して付設されるシートやネットを合理的かつスマートに設置することができる設置装置に関する。
【背景技術】
【０００２】
従来から、（ａ）工事対象の建物等を囲むように設置された足場に対して形成された出入口に、扉に当るシートを開閉自在に吊下設置すること、（ｂ）前記建物を囲んで設置されたパネルによる仮囲いの不足する高さを補うために、前記仮囲いの上方にシートを補充用シートとして設けること、或は、（ｃ）前記建物と足場の間に、水平な安全ネットを設置することが行われている。
【０００３】
上記（ａ）〜（ｃ）のゲートシートの設置、補充用シートの設置、および安全ネットの設置では、それぞれのシートやネットを設置する足場や仮囲いにおける部位の違いや各シートやネットの設置態様の違いなどがあるが、各シートやネットの設置部材としてスチールワイヤを用いているのが通例である。
【０００４】
しかし、同じ工事現場に設置された足場において、出入口用シートや安全ネットを、スチールワイヤを用いて張る場合、所要の複数部位でシートやネットを止めないと、当該シートやネットが自重で垂れ下ってしまい、美感上好ましくないのみならず、当初の目的を達することができない問題がある一方、所要部位でシートやネットを止めてしまうと止めたシートやネットの開閉を容易かつ迅速に行うことができないという別の問題が生じる。
【０００５】
このため、設置したシートやネットを容易に開閉できるようにするには、前記シートやネットの設置場所や設置形態に応じて夫々に個別仕様とした設置部材を用いなければならないが、そうすると足場設置では設置のための付属部品の種類が増えて円滑な設置作業の進行を妨げ、また部品の種類が多くなるとその保管、運搬等における管理も煩わしくなるという新たな問題が生じる。この点は、パネル仮囲いにおける出入口シートの設置や仮囲いパネルの高さ不足を補う補足シートの設置においても同じである。
【０００６】
しかし乍ら、特許文献１〜４にあるような従来技術では、スチールワイヤを用いることなく、かつ、工事用シートやネットの設置部位の違いや設置態様の違いがあるにもかかわらず、一種類の部品（共通部品）で前記シートやネットを開閉自在に設置できる構造、形態を具備した工事用シートやネットの設置装置については、未だ提案されていない。
【先行技術文献】
【特許文献】
【０００７】
【特許文献１】特開２０１４−０９１９９７号公報
【特許文献２】特開平０７−１１７７４号公報
【特許文献３】特許５０７９７５８号公報
【特許文献４】特許５５５８９１５号公報
【発明の概要】
【発明が解決しようとする課題】
【０００８】
そこで本発明は、従来技術の工事用シートやネットの設置においては、足場等での設置部位の違いや設置態様の違いがあってもスチールワイヤが使用されているため上述の問題があること、および、スチールワイヤを用いない場合には区々の形態、構造の設置用部品を使用することになるため、工事現場における足場や仮囲い設置のための部品の種類が徒らに多くなり、従って、これら設置部品の製造や加工手間から製造した各部品の管理、保管等までの各作業や管理業務を合理的に行い難いという問題があったことに鑑み、従来技術のかかる問題点を解消することを、その課題とする。
【課題を解決するための手段】
【０００９】
上記課題を解決することを目的としてなされた本発明装置の構成は、
（イ）下面が溝状に開口していると共に該開口を挟む対向部位を吊車の走行面とし、かつ、長さ方向両端部を接続用ソケット部に形成したロングレール部材、
（ロ）前記ロングレール部材と同様の断面形状で当該レール部材のソケット部に外嵌して接続できる内面形状を有するショートレール部材であって、足場等の縦地単管に結合するクランプを該ショートレール部材の幅方向の一側面に備えて前記ロングレール部材のソケット部に着脱自在に接続・固定されるショートレール部材、
（ハ）クランプを備えていない前記ショートレール部材と同形態のショートレール部材を平面視９０度の角度で結合一体化した直角レール部材であって、当該直角レール部材の幅方向の外面又は内面に、前記足場等の縦地単管に結合するクランプを設けた直角レール部材、
（ニ）上記の各レール部材の走行面に載せられて転動する双輪をボディ本体の両側面に備えると共に、該ボディ本体の垂直軸上に、前記足場等に設けるシートやネットのハトメに入って当該シートやネットを吊下支持するためのフック部材を設けて形成した吊車、
（ホ）上記（ロ）又は（ハ）を選択した上記（イ）〜（ニ）のレール部材と吊車によって足場等にシートやネットを開閉自在に設ける、
ことを特徴とするものである。
【００１０】
本発明は、上記構成において、ロングレール部材は、長さ方向の中間に撓み荷重に対する補強部材を取付けることがある。また、ロングレール部材の接続用ソケット部に外嵌したショートレール部材又は直角レール部材は、前記ソケット部に設けたロック用ピン穴に嵌入するプランジャタイプのロックピンを具備している。前記ロック用ピンとそのピン穴は、ロングレール部材と前記ショートレール部材又は直角レール部材の接続を固定するためのものである。
【００１１】
さらに、本発明では、ショートレール部材と直角レール部材の側面に設けるクランプは、該クランプを設ける水平軸に関して上下方向で首振り自在の枢着構造とすることが望ましい。この場合、前記レール部材とクランプの枢着位置は、レール部材の側面から見て当該レール部材とクランプとの対向面における上端部とするのがよい。これにより、クランプと単管に取付けて前記の各レール部材に真下に向う負荷（吊下シートの重量）がかかる使用態様において、および、水平方向に向かう引張力（例えば安全ネットを水平設置するときの張力とネット重量）がかかる使用態様において、両方向の力を無理なく支持することができる。
【００１２】
本発明の吊車は、フック部材をボディ本体の垂直軸上に設けるとき、その軸上で旋回自在に設けることが好ましい。吊下支持したシートがねじれることによるねじれ負荷に対応するためである。また、フック部材の先端はハトメに通し易いようにフック部材の根元側に対して捩り角が付与されている。
【発明の効果】
【００１３】
本発明は、ビル等の建物の建設、改修、解体や取り壊し等の工事現場において設置された足場や仮囲いに、工事用シートやネットを付加設置するための装置を、
（イ）下面が溝状に開口すると共に該開口を挟む部位を吊車の走行面とし、かつ、長さ方向両端部を接続用ソケット部に形成したロングレール部材、
（ロ）前記ロングレール部材と同様の断面形状で当該レール部材のソケット部に外嵌して接続できる内面形状を有するショートレール部材であって足場等の縦地単管に結合するクランプを該レール部材の幅方向の一側面に備わって前記ロングレール部材のソケット部に着脱自在に接続・固定されるショートレール部材、
（ハ）前記ショートレール部材と同形態のショートレール部材を平面視９０度の角度で結合一体化した直角レール部材であって当該レール部材の幅方向の外面又は内面に、前記足場等の縦地単管に結合するクランプを設けた直角レール部材、
（ニ）上記の各レール部材の走行面に載せられて転動する双輪をボディ本体の両側面に備えると共に、該ボディ本体の垂直軸上に、前記足場等に設けるシートやネットのハトメに入って当該シートやネットを支持するためのフック部材を設けて形成した吊車、
（ホ）上記（イ）〜（ニ）によって足場等に設けるシートやネットを開閉自在に設けるようにして構成したから、少ない種類の部品を共用して工事用シートや安全用の水平ネットを、前記足場や仮囲いの所要部位（箇所）に開閉自在の状態で付加設置することができる。
【図面の簡単な説明】
【００１４】
【図１】ロングレール部材の一例の平面図。
【図２】図１のロングレール部材の正面図。
【図３】図２のロングレール部材の側面図。
【図４】ショートレール部材の一例の平面図。
【図５】図４のショートレール部材の正面図。
【図６】図５のショートレール部材の左側面図。
【図７】直角レール部材の一例の平面図。
【図８】図７の直角レール部材の正面図。
【図９】吊車の一例の側面図。
【図１０】図９の吊車の左側面図。
【図１１】第２ショートレール部材（第２直角レール部材）とクランプの接続状態の一例の要部を示す断面図。
【図１２】足場に設けた出入口に、本発明設置装置によって開閉自在に工事用シートを出入口の扉として設けた例の要部の斜視図。
【図１３】パネル仮囲いの上方に、本発明設置装置によって工事用シートを付加設置した例の要部の斜視図。
【図１４】本発明設置装置によって足場に安全用ネットを開閉自在に設置することを説明するための要部の斜視図。
【発明を実施するための形態】
【００１５】
次に、本発明による工事用シート、ネットの設置装置の例について、図面を参照して説明する。
【００１６】
図１〜図３は、本発明設置装置におけるロングレール部材の一例を示したもので、１は、断面大略ロ字状であって、下面壁の中央が長さ方向でスリット状に開口１ａしており、該開口１ａを挟む両側が、後述する双輪の吊車１１の走行面１ｂ、１ｃを形成したロングレール部材である。
【００１７】
前記ロングレール部材１は、その長さ方向の左右両側部に、この部材１と同様の断面形状を有する外嵌部材２ａ、３ａを嵌着した接続部２、３に形成されている。
外嵌部材２ａ、３ａの平面から見た中間部には、後述するショートレール部材４に設けたプランジャ型のロックピン４ｂと４ｃを選択的に受入れるピン穴２ｂと３ｂとが設けられている。
上記ロングレール部材１には、一例として長さが１８００ｍｍ、１５００ｍｍ、１２００ｍｍ、９００ｍｍ、６００ｍｍの各仕様のものがある。前記長さはメータサイズであるが、各長さに対応したインチサイズもある。また、ロングレール部材が１８００ｍｍ、１５００ｍｍ等と長い部材には、中間部に補強用の外嵌部材２３ａを嵌着したももある。
【００１８】
図４〜図６は、ロングレール部材１の接続部２、３に外嵌して接続されるショートレール部材４を示したものである。
ショートレール部材４は、ロングレール部材１と同じ断面形状で前記接続部２、３に外嵌される長さが小さい短レール部材４ａの左右側端に近い部位に、内蔵させたバネのバネ力により常時下向きにピン４１ｂ（４１ｃ）が付勢されたロックピン４ｂ、４ｃを備えていると共に、図４の短レール部材４ａの側面（垂直面）に、クランプ穴が垂直方向を向いたクランプ５を結合固定して設けて形成されている。図４~図６において、４ｄ，４ｅは前記ロックピン４ｂ，４ｃを短レール部材４ａに止着するためのダブルナット、５１はクランプ５と短レール部材４ａとの結合アタッチメントである。アタッチメント形態は図示の例に限られるものではない。また、前記クランプ５は、一例として、ジョー開閉式でジョーの閉じ姿勢をボルト、ナットで締結するタイプを用いているが、本発明においてクランプ５の形式はこれ以外のクランプでも構わない。
【００１９】
上記ショートレール部材４は、そのロックピン４ｂ又は４ｃにおけるいずれか一方のピン４１ｂ又は４１ｃをバネ力に抗して引き上げておき、この引き上げたピンの側を前記ロングレール部材１の接続部２、３の外嵌部材２ａ又は３ａに嵌めて次のロングレール部材１の接続用レール部材として機能する。
【００２０】
すなわち、ロングレール部材１同士の接続には、上記ショートレール部材４を用いるから、ロングレール部材１同士の接続部には必ずショートレール部材４のクランプ５が存在し、該クランプ５がそのクランプ穴で足場等の縦地単管（図１１参照）に結合して支持されることになる。これにより、ロングレール部材１同士の接続部は必ず縦地単管にショートレール部材４のクランプ５を介して結合支持されることとなる。
【００２１】
図７、図８は、上記ショートレール部材４における短レール部材４ａと同様の２本の短レール部材６ａ、６ｂを９０度の角度で結合した形態の直角レール部材６の一例を示している。
この直角レール部材６は、これを形成した短レール部材６ａ、６ｂの外端部近くに、前記ロックピン４ｂ、４ｃと同様のロックピン６ｃ、６ｄを具備していると共に、図の例では短レール部材６ａ、６ｂの接合部の内側に、前記クランプ５と同旨のクランプ７を結合アタッチメント７１を介して固定して設けている。クランプ７は短レール部材の６ａ,６ｂの接合部の外側に設けることもある。図７、図８において、６１ｃ、６１ｄはバネで下向きに付勢されたピン、６ｅ，６ｆは、前記ピン６ｃ，６ｄを短レール部材６ａ，６ｂに止着するダブルナットである。
【００２２】
上記段落００１９、００２０のショートレール部材４と直角レール部材６は、夫々のレール部材の一例であって、本発明には、以下に説明する第２ショートレール部材８と第２直角レール部材９がある。
【００２３】
すなわち、図示しないが、第２ショートレール部材８は、そのクランプ５が、短レール部材４ａに対し首振り自在に設けられ、また、第２直角レール部材９は、そのクランプ７が短レール部材６ａ又は、６ｂの外側に枢着部１０（図１１参照）を介して首振り自在に設けられている点で、上述した第１のショートレール部材４、直角レール部材６と異なっている。
【００２４】
次に、図１１は、第２ショートレール部材８と第２直角レール部材９における短レール部材４ａ（６ａ又は６ｂ）にクランプ５（７）が首振り自在に設けられていることを説明するための要部の例面図である。
図１１において、上記のロングレール部材１の接続部２（３）に外嵌される短レール部材４ａ（６ａ又は６ｂ）のクランプ５（７）との枢着部１０は、図１１のクランプ５（７）の結合アタッチメント５１（７１）と短レール部材４ａ（６ａ又は６ｂ）との対向面の上端部を、該上端部に設けた水平な軸を有する蝶番部材１０により結合することにより首振り自在（図１１の点線と実線の矢印参照）に形成されている。
【００２５】
この構成により吊車１１のフック部材１２に垂直方向から水平方向にかけての引張り力が働くと、ショートレール部材４が、図１４に例示した実線矢印の方向に首を振るから、各レール部材１、４（６）の長さ方向の中心軸がフック部材１２で支持するシートやネットに斜め水平方向の引張り力が作用しても蝶番部材１０を中心に揺動（首振り）することができ、よって、ショートレール部材４（６）とクランプ５（７）の間に無理な力が作用することがない。
【００２６】
また、前記首振り作用によって各レール部材１、４、６の走行面が、シートやネットが引っ張られている方向に直交する向きに面を変えるから、各レール部材１、４、６の走行面が傾いた状態においても、吊車１１を円滑に走行させることができ、従って、この状態においてもシートやネットの開閉を円滑に行うことができる。
【００２７】
次に、上記吊車１１の構成例を図９〜図１１により説明する。
この吊車１１は、立方体に近いブロック状のボディ本体１３と、該本体１３の左右側壁に回転自在に設けた双輪の走行輪１４ａ、１４ｂと、ボディ本体１３の垂直方向の中心を通って旋回自在に設けたフック部材１２とから成る。１２ａはフック部材１２の止着部材である。
【００２８】
双輪の走行輪１４ａ、１４ｂを備えたボディ本体１３は、ロングレール部材１の内部、ショートレール部材４の内部、直角レール部材６の内部に悠に収まり、かつ、２つの走行輪１４ａ、１４ｂが各レール部材１、４、６の走行面１ｂ、１ｃの上面を転動できるように形成されている。
【００２９】
以上に説明したロングレール部材、ショートレール部材４、直角レール部材６、第２ショートレール部材８、第２直角レール部材、並びに、これらのレール部材の内部に配置されて、前記レール部材から垂下したフック部材１２にシートやネットのハトメを引掛けてそのシートやネットを支持する吊車１１は、図１２〜図１４に例示した態様で、仮設足場に形成した出入口（図１２）、仮囲いパネルの上方（図１３）、仮設足場の内部（図１４）等に設けるシートやネットの設置装置として利用できるので、この点について図１２〜図１４により以下に説明する。
【００３０】
図１２は、単管Ｔを始めとする足場部材で組立てた足場Ａ（図１２は一部を示す）に形成した出入口Ｇに、ロングレール部材１とショートレール部材４と吊車１１により形成される本発明設置装置によって、隣接するハトメにおいて横方向（幅方向）に接続した３枚のシートＳによるシート門扉Ｓｄを、開閉自在に設けた例である。図１２の例では、１本のロングレール部材１の長さと１枚のシートＳの正面幅が略同等で対応しているから、３本のロングレール部材１が出入口Ｇのカマチ相当部位に架設されている。図１２のシート門扉Ｓｄの左端エンドは、接続配置した３本のロングレール部材１の左端に固定され、該固定部Ｆより右方が、当該シート門扉Ｓｄの右端エンドまで等ピッチでロングレール部材１に設けた複数の吊車１１のフック１２に吊下支持されている。これにより接続した３枚のシートＳによるシート門扉Ｓｄが足場Ａの出入口Ｇに開閉自在に設置されることになる。図１２において、Ｓｔは作業員歩行用の踏板（歩行板）である。
【００３１】
図１３は、工事現場を囲むように設置されたパネルＰによる仮囲いＷの一部であり、図１３の例では、各パネルＰの立設を支持するためパネルＰの背面に配備された支持枠Ｆｓの４本の縦地単管Ｔの上端部（上位）と各パネルＰの上端辺に沿った部位（下位）に、上、下位でそれぞれに３本のロングレール部材１を、４本のショートレール部材４を両端と中間に介在させて水平方向に向けてショートレール部材４のクランプ５を縦地単管にクランプすることにより接続ロングレール部材１を仮囲いＷの上方に架設し、架設した上、下位の前記各レール部材１、４の走行面に複数の吊車１１を架装して、上、下位の各吊車１１のフック部材１２に、シートＳの上辺と下辺のハトメを通して、図１３に示したように高さが足りない仮囲いＷの上方に、シートＳを開閉自在に設置するのである。
図１２の例では、下位のロングレール部材１とショートレール部材４は、そのスリット状の開口１ａを上向きにして仮囲いＷの上端部から露出した支持枠Ｆｓの縦地単管Ｔに、前記ショートレール部材４のクランプ５を結合して設けている。また、使用するシートＳは、一例として幅が１８００ｍｍ、長さ５４００ｍｍのシートＳを横向きにして用いている。
【００３２】
図１４は、建物内部の壁や天井に対する工事のために建物の壁などに沿って組まれた平面大略ロ字状の足場Ｂにおいて、その足場Ｂの上から物や作業員が、万一、落下することがあっても、その落下物を受け止めるように水平面内に設置される安全ネットＮの例を示す。
この安全ネットＮも、その外周上にシートＳの場合と同様のハトメが設けられているので、このハトメを吊車１１のフック部材１２に引掛けることにより、足場Ｂに開閉自在に設置できる。
このため、平面略ロ状の前記足場Ｂにおける内周側に等ピッチで立設されている複数本の縦地単管Ｔに、ロングレール部材１と第２ショートレール部材８と第２直角レール部材９を用いて、前記ネットＮの支持装置として機能する本発明設置装置を構築する。
【００３３】
すなわち、足場Ｂの４つのコーナーの縦地単管Ｔには、第２直角レール部材９をそのクランプ７を結合することにより設け、各コーナーの間に存在する各縦地単管Ｔには、それぞれに第２ショートレール部材８をそのクランプ５を結合することにより設け、このようにして前記単管Ｔに取付けられる接続用の前記第２のレール部材８、９に、吊車１１を備えたロングレール部材１を接続することにより、前記足場Ｂの内周面側に当該足場Ｂに対する水平な安全ネットＮの設置装置が形成できる。
【００３４】
前記足場Ｂにおいて、その内周面に略ロ状に形成されたロングレール部材１と第２ショートレール部材８、第２直角レール部材９による本発明ネット設置装置は、足場Ｂの内面において対向して位置するロングレール部材１の各吊車１１のフック部材１２に安全ネットＮにおける平行な辺のハトメを引掛けて設けることにより、開閉可能な安全ネットＮとして設置されることになる。この場合において、ロングレール部材１の上で開閉されるネットＮの平行な辺と直交する辺のハトメをその辺に対面して存在するロングレール部材１の吊車１１のフック部材１２に引掛けて支持させるかどうかは任意である。上に安全ネットＮは、本発明の各構成部材を用いて山留材に設置することができる。
【００３５】
本発明は以上の通りであって、設置された足場や仮囲いに対して設けられるシート門扉や補足シート、或は、安全ネットを、同じ部品を使用して前記足場や仮囲いに、開閉自在に設けることができるから、少ない種類の部品によって設置形態の異なるシートやネットを設置するための装置としてきわめて有用である。
【符号の説明】
【００３６】
１  ロングレール部材
１ａ  開口
１ｂ、１ｃ  走行面
２、３  ロングレール部材１の接続部
２ａ、３ａ  接続部２、３の外嵌部材
２ｂ、３ｂ  ピン穴
４  ショートレール部材
４ａ  短レール部材
４ｂ、４ｃ  ロックピン
５  クランプ
６  直角レール部材
６ａ、６ｂ  短レール部材
６ｃ、６ｄ  ロックピン
７  クランプ
８  第２ショートレール部材
９  第２直角レール部材
１０  蝶番部材
１１  吊車
１２  フック部材
１３  吊車１１のボディ本体
１４ａ、１４ｂ  走行輪
Ａ、Ｂ  足場
Ｇ  出入口
Ｓｄ  シート門扉
Ｓ  シート
Ｓｔ  歩行用踏板
Ｗ  仮囲い
Ｐ  仮囲い用パネル
Ｆｓ  支持枠
Ｎ  安全ネット
【図１】
2016141989.tif 000003
【図２】
2016141989.tif 000004
【図３】
2016141989.tif 000005
【図４】
2016141989.tif 000006
【図５】
2016141989.tif 000007
【図６】
2016141989.tif 000008
【図７】
2016141989.tif 000009
【図８】
2016141989.tif 000010
【図９】
2016141989.tif 000011
【図１０】
2016141989.tif 000012
【図１１】
2016141989.tif 000013
【図１２】
2016141989.tif 000014
【図１３】
2016141989.tif 000015
【図１４】
2016141989.tif 000016